(57)【要約】【課題】金属配線下にボイドが形成されることを抑制したパワーモジュールを提供する。【解決手段】半導体素子と、半導体素子を搭載する基板と、複数の配線の配列で構成される結線部と、基板を底面側に配置し、半導体素子および結線部を収容するケースと、ケース内に充填された絶縁封止材と、を備え、結線部を構成する複数の配線は、同一方向にルーピングされ、それぞれの配線高さが、少なくとも配列の一方向に向けて徐々に高くなるように配設される。【選択図】図４
2020004784.tif 000002
【特許請求の範囲】
【請求項１】
半導体素子と、
半導体素子を搭載する基板と、
複数の配線の配列で構成される結線部と、
前記基板を底面側に配置し、前記半導体素子および前記結線部を収容するケースと、
前記ケース内に充填された絶縁封止材と、を備え、
前記結線部を構成する前記複数の配線は、同一方向にルーピングされ、それぞれの配線高さが、少なくとも配列の一方向に向けて徐々に高くなるように配設される、パワーモジュール。
【請求項２】
前記結線部の前記複数の配線は、
配列の中央部で配線高さが最も低く、前記中央部から配列の第１の方向に向けて徐々に高くなるように配設されると共に、前記第１の方向とは反対の第２の方向に向けて徐々に高くなるように配設される、請求項１記載のパワーモジュール。
【請求項３】
前記結線部の前記複数の配線は、
配列の中央部で配線間隔が他の部分よりも広くかつ配線高さが最も高く、前記中央部から配列の第１の方向に向けて徐々に低くなるように配設されると共に、前記第１の方向とは反対の第２の方向に向けて徐々に低くなるように配設される、請求項１記載のパワーモジュール。
【請求項４】
前記結線部の前記複数の配線は、
配列の中央部で配線間隔が他の部分よりも広くかつ配線高さが最も低く、前記中央部から配列の第１の方向に向けて徐々に高くなるように配設されると共に、前記第１の方向とは反対の第２の方向に向けて徐々に高くなるように配設される、請求項１記載のパワーモジュール。
【請求項５】
前記結線部の前記複数の配線は、
配列の中央部で配線間隔が他の部分よりも広くかつ配線高さが最も高く、前記中央部から配列の第１の方向に向けて徐々に高くなるように配設されると共に、前記第１の方向とは反対の第２の方向に向けて徐々に高くなるように配設され、平面視で前記中央部を境にして前記第１の方向および前記第２の方向にそれぞれ斜めに傾くように配設される、請求項１記載のパワーモジュール。
【請求項６】
前記結線部の前記複数の配線は、
配線がルーピングの方向に上下で重なって配設される２重配線を含む、請求項１から請求項５の何れか１項に記載のパワーモジュール。
【請求項７】
前記結線部の前記複数の配線は、
配線高さが最も高い配線の平面視での配線長さを最も短くし、配線高さが最も低い配線の平面視での配線長さを最も長くして、配線の全長を同じにすることで、インダクタンスを統一する、請求項１から請求項５の何れか１項に記載のパワーモジュール。
【請求項８】
前記結線部は、
少なくとも、前記半導体素子と、前記半導体素子の主電流が流れる主電極端子とを電気的に接続する部分、前記半導体素子どうしの間、および、前記基板上の導体パターンどうしの間に設けられる、請求項１から請求項５の何れか１項に記載のパワーモジュール。
【請求項９】
請求項１記載のパワーモジュールを有し、入力される電力を変換して出力する主変換回路と、
前記主変換回路を制御する制御信号を前記主変換回路に出力する制御回路と、を備えた電力変換装置。
【発明の詳細な説明】
【技術分野】
【０００１】
本発明はパワーモジュールに関し、特に、ケース内に充填される絶縁封止材におけるボイドの形成を抑制したパワーモジュールに関する。
【背景技術】
【０００２】
一般的なパワーモジュールは、半導体素子と絶縁基板上の回路パターンとを金属配線等で電気的に接続することで回路を形成しているが、パワーモジュール内の高密度化、高信頼性化に伴い、半導体素子に接続される金属配線の本数が増える傾向にあり、金属配線の配置密度が高まり、例えば、特許文献１の図９Ａに開示されるように、ボンディング位置を少しずつずらしてボンディングする段違いボンディングを採用したパワーモジュールが増えている。
【先行技術文献】
【特許文献】
【０００３】
【特許文献１】特表２００７−５０２５４４号公報
【発明の概要】
【発明が解決しようとする課題】
【０００４】
しかしながら、パワーモジュールの定格の多様化、大電流化によりパワーモジュール内の金属配線の本数が増加すると、配線間隔が狭くなり、絶縁封止材に含まれる気泡が、金属配線の隙間から放出されにくくなって金属配線下に気泡が溜まり、最終的に、金属配線下にボイドとして残る可能性があった。
【０００５】
本発明は上記のような問題を解決するためになされたものであり、金属配線下にボイドが形成されることを抑制したパワーモジュールを提供することを目的とする。
【課題を解決するための手段】
【０００６】
本発明に係るパワーモジュールは、半導体素子と、半導体素子を搭載する基板と、複数の配線の配列で構成される結線部と、前記基板を底面側に配置し、前記半導体素子および前記結線部を収容するケースと、前記ケース内に充填された絶縁封止材と、を備え、前記結線部を構成する前記複数の配線は、同一方向にルーピングされ、それぞれの配線高さが、少なくとも配列の一方向に向けて徐々に高くなるように配設される。
【発明の効果】
【０００７】
本発明に係るパワーモジュールによれば、結線部を構成する複数の配線のそれぞれの配線高さが、少なくとも配列の一方向に向けて徐々に高くなっているので、金属配線下の絶縁封止材中の気泡が金属配線下から抜け出しやすくなり、金属配線下にボイドが形成されることを抑制できる。
【図面の簡単な説明】
【０００８】
【図１】本発明に係る実施の形態１のパワーモジュールの断面図である。
【図２】本発明に係る実施の形態１のパワーモジュールを上方から見た部分平面図である。
【図３】本発明に係る実施の形態１のパワーモジュールにおける結線部の脱気構造の第１の例を説明する平面図である。
【図４】本発明に係る実施の形態１のパワーモジュールにおける結線部の脱気構造の第１の例を説明する断面図である。
【図５】脱気構造における脱気の仕組みを説明する模式図である。
【図６】本発明に係る実施の形態１のパワーモジュールにおける結線部の脱気構造の第２の例を説明する平面図である。
【図７】本発明に係る実施の形態１のパワーモジュールにおける結線部の脱気構造の第２の例を説明する断面図である。
【図８】本発明に係る実施の形態１のパワーモジュールにおける結線部の脱気構造の第３の例を説明する平面図である。
【図９】本発明に係る実施の形態１のパワーモジュールにおける結線部の脱気構造の第３の例を説明する断面図である。
【図１０】本発明に係る実施の形態１のパワーモジュールにおける結線部の脱気構造の第３の例を説明する断面図である。
【図１１】本発明に係る実施の形態１のパワーモジュールにおける結線部の脱気構造の第４の例を説明する平面図である。
【図１２】本発明に係る実施の形態１のパワーモジュールにおける結線部の脱気構造の第４の例を説明する断面図である。
【図１３】本発明に係る実施の形態１のパワーモジュールにおける結線部の脱気構造の第５の例を説明する平面図である。
【図１４】本発明に係る実施の形態１のパワーモジュールにおける結線部の脱気構造の第５の例を説明する平面図である。
【図１５】本発明に係る実施の形態１のパワーモジュールにおける結線部の脱気構造の第５の例を説明する断面図である。
【図１６】本発明に係る実施の形態１のパワーモジュールにおける結線部の脱気構造の第６の例を説明する平面図である。
【図１７】本発明に係る実施の形態１のパワーモジュールにおける結線部の脱気構造の第６の例を説明する断面図である。
【図１８】本発明に係る実施の形態１のパワーモジュールにおける結線部の脱気構造の他の部分への適用例を説明する平面図である。
【図１９】本発明に係る実施の形態１のパワーモジュールにおける結線部の脱気構造の他の部分への適用例を説明する断面図である。
【図２０】本発明に係る実施の形態１のパワーモジュールにおける結線部の脱気構造の他の部分への適用例を説明する平面図である。
【図２１】本発明に係る実施の形態１のパワーモジュールにおける結線部の脱気構造の他の部分への適用例を説明する断面図である。
【図２２】本発明に係る実施の形態２の電力変換装置の構成を示すブロック図である。
【発明を実施するための形態】
【０００９】
＜実施の形態１＞
図１は、本発明に係る実施の形態１のパワーモジュール１００の断面図である。また、図２は、パワーモジュール１００を上方から見た部分平面図であり、封止樹脂などは省略している。なお、図２におけるＡ−Ｂ−Ａ線における矢示方向の断面が図１の断面である。
【００１０】
図１に示されるように、パワーモジュール１００は、ベース板１０１の上面に絶縁基板３がはんだ（基板下はんだ）１０７ｂにより接合され、絶縁基板３（基板）の上面にスイッチング素子１０４ａおよび還流ダイオード１０４ｂを含む半導体素子１０４が、はんだ１０７ａにより接合されている。ベース板１０１は、上面側および底面側が開口部となったケース１の底面側の開口部に収納され、底面側の開口部と同じ形状および同じ面積のベース板１０１はケース２の底面を構成する。
【００１１】
絶縁基板３は、絶縁材１０３ｄの上面に上側導体パターン１０３ａおよび１０３ｂが設けられ、下面に下側導体パターン１０３ｅが設けられており、絶縁材１０３ｄは、例えば、樹脂、Ａｌ２Ｏ３、ＡｌＮおよびＳｉ３Ｎ４などのセラミックス材で構成される。また、絶縁基板３の代わりに、回路パターンがパターニングされたリードフレームを用いても良い。
【００１２】
半導体素子１０４はスイッチング素子１０４ａとして、例えばＩＧＢＴ（Insulated Gate Bipolar Transistor）を使用する。なお、スイッチング素子１０４ａとしてＳｉＣ（炭化珪素）−ＭＯＳＦＥＴ（Metal Oxide Semiconductor Field Effect Transistor）を使用する場合は、還流ダイオード１０４ｂとしてＳｉＣ−ＳＢＤ（Shottky Barrier Diode）を使用することもできる。ＳｉＣ、Ｇａ２Ｏ３、ＧａＮなどのワイドギャップ半導体材料で形成されたＭＯＳＦＥＴは、耐圧が高く、許容電流密度も高いため、シリコン半導体材料で形成されたＭＯＳＦＥＴに比べて小型化が可能であり、これを組み込むことでパワーモジュールの小型化が可能となる。
【００１３】
スイッチング素子１０４ａおよび還流ダイオード１０４ｂは、はんだ１０７ａにより絶縁基板３の上側導体パターン１０３ａと接合されているが、焼結性のＡｇ（銀）またはＣｕ（銅）粒子を含む接合材を用いても良く、焼結性の接合材を用いることではんだ接合の場合より、接合部の寿命を向上させることが可能となる。高温での動作が可能となるＳｉＣを用いた半導体装置（ＳｉＣ半導体装置）を用いる場合、焼結材を用いて接合部の寿命を向上することは、ＳｉＣ半導体装置の特性をより効果的に生かすことができる。
【００１４】
ケース１の側面には、主電流が流れる主電極端子２が設けられ、主電極端子２はケース１の側面からケース１の上面にかけて延在し、ケース１の上面で外部に露出している。また、ケース１の主電極端子２が設けられた側の側面には、制御端子２１が設けられ、制御端子２１はケース１の側面からケース１の上面にかけて延在し、ケース１の上面で外部に露出している。
【００１５】
ケース１内では、スイッチング素子１０４ａとダイオード１０４ｂの上面電極１０９どうし、ダイオード１０４ｂの上面電極１０９と上側導体パターン１０３ｂ、上側導体パターン１０３ｂと主電極端子２とが複数の金属配線５により結線される。また、スイッチング素子１０４ａの制御電極（図示せず）は、金属配線５１を介して制御端子２１に結線される。なお、以下では、部材と部材との間を結線する複数の金属配線５の配列を結線部と呼称する。
【００１６】
ケース１内にベース板１０１が収納され、ケース１とベース板１０１とが樹脂接着剤等で接合されることで有底無蓋のケース１となり、ケース１の上面側の開口部からエポキシ樹脂等の絶縁封止材４を導入することで、ベース板１０１、絶縁基板３、半導体素子１０４、金属配線５および５１が絶縁封止材４で覆われ、樹脂封止されることになる。なお、絶縁封止材４としては、シリコーン系の封止材を用いても良い。
【００１７】
ここで、ベース板１０１には、複合材であるＡｌＳｉＣ板およびＣｕ板を用いることができるが、半導体素子１０４を使用するに際して、十分な絶縁性能と強度を有するのであれば、ベース板１０１を設けず、絶縁基板３でケース１の底面を構成しても良い。すなわち、絶縁基板３の下面には、下側導体パターン１０３ｅが設けられており、下側導体パターン１０３ｅがケース１の底面として露出した構成としても良い。
【００１８】
先に説明したように、パワーモジュール１００内の金属配線５の本数が増加すると、配線間隔が狭くなり、絶縁封止材４に含まれる気泡が、金属配線５の隙間から放出されにくくなる。
【００１９】
＜脱気構造の第１の例＞
図３および図４は、配線間隔が狭い場合に、金属配線５下の気泡を上方に移動させる脱気構造を有する結線部の配線配置を説明する図であり、図３は、パワーモジュール１００を上方から見た部分平面図であり、図４は、図３におけるＣ−Ｃ線での矢視断面図である。
【００２０】
図３および図４では、絶縁基板３上のダイオード１０４ｂと上側導体パターン１０３ｂとを、ワイヤボンディングにより複数の金属配線５で結線する結線部を例示しており、図３に示すように、金属配線５の配置間隔は、金属配線５の線幅程度となっている。例えば、金属配線５の線幅が１ｍｍ程度で、金属配線５の配置間隔が１ｍｍ以下である場合、ケース１内に絶縁封止材４を充填し、絶縁封止材４内の気泡の直径が１ｍｍ〜３ｍｍであった場合、金属配線５間から気泡が抜けることができず、金属配線５に溜まることとなる。溜まった気泡が寄せ集まって、直径がさらに大きくなる可能性もある。
【００２１】
しかし、図４に示されるように、複数の金属配線５は同じ方向にルーピングされ、それぞれの配線高さは同じではなく、それぞれの配線高さが、配列の一方向に向けて徐々に高くなる、または徐々に低くなるように配設されている。図４では、図に向かって左側に向かうにつれて配線高さが高くなっている。このように配線高さが変化するように金属配線５を配置した構造を、脱気構造と定義する。
【００２２】
ここで、脱気構造による脱気の仕組みについて図５を用いて説明する。図５は、複数の金属配線５が同じ方向にルーピングされ、図に向かって右側に向かうにつれて配線高さが高くなった脱気構造を示しており、ワイヤボンディングにより導体ＭＢ上に複数の金属配線５がボンディングされ、ループ状となった複数の金属配線５と導体ＭＢとの間には気泡ＢＢが存在している。気泡ＢＢの大きさは、金属配線５の配置間隔よりも大きいので、金属配線５間からを通り抜けることができない。なお、導体ＭＢを含め、複数の金属配線５は絶縁封止材で覆われており、気泡ＢＢは絶縁封止材中に存在するが、便宜的に絶縁封止材は図示を省略している。
【００２３】
図５に示されるように、最初、配線高さの低い金属配線５側にあった気泡ＢＢは、矢印ＡＲで示すように、時間と共に配線高さの高い金属配線５側に移動し、やがては、金属配線５下から抜け出す。これは、絶縁封止材の比重、例えばエポキシ樹脂であれば１．９、気泡ＢＢの比重、例えば空気であれば１、との比重差によって、気泡ＢＢが低い位置から高い位置に向けて移動して行くためである。金属配線５下から抜け出した気泡ＢＢは、絶縁封止材が硬化前の液状の状態で上方に移動し、また、熱硬化時には、一旦、絶縁封止材の粘度が下がるので、気泡ＢＢが上方に移動しやすくなる。このため、絶縁封止材中の気泡は、ケース１に充填された絶縁封止材４の上面に集まり、絶縁封止材から放出され（脱気され）てしまう。これにより、絶縁封止材中の気泡を低減することができる。従来は、金属配線５下の気泡は脱気させにくかったが、上述した脱気構造を用いることで、金属配線５下の気泡も脱気させることが容易となった。このため、硬化した絶縁封止材において、金属配線５下に気泡がボイドとして残ることを抑制でき、パワーモジュール１００の絶縁性を確保できる。
【００２４】
＜脱気構造の第２の例＞
図６および図７は、配線間隔が狭い場合に、金属配線５下の気泡を上方に移動させる脱気構造を有する配線配置を説明する図であり、図６は、パワーモジュール１００を上方から見た部分平面図であり、図７は、図６におけるＣ−Ｃ線での矢視断面図である。なお、金属配線５の配置位置、配置間隔等は図３および図４と同じである。
【００２５】
図６に示される脱気構造では、複数の金属配線５のそれぞれの配線高さは、配線配列の中央部が最も低く、中央部から図に向かって左方向（第１の方向）および右方向（第２の方向）に向かうにつれて配線高さが高くなっている。このため、ループ状の複数の金属配線５の下に存在する気泡は、脱気構造の右側および左側の少なくとも一方に向けて移動し、金属配線５の下から抜け出し、金属配線５下の気泡を脱気することができる。
【００２６】
＜脱気構造の第３の例＞
図８および図９は、配線間隔が狭い場合に、金属配線５下の気泡を上方に移動させる脱気構造を有する配線配置を説明する図であり、図８は、パワーモジュール１００を上方から見た部分平面図であり、図９は、図８におけるＣ−Ｃ線での矢視断面図である。なお、金属配線５の配置位置は図３および図４と同じである。
【００２７】
図９に示される脱気構造では、配線配列の中央部では配置間隔が他の部分よりも広く、中央部から図に向かって左方向（第１の方向）および右方向（第２の方向）に向かうにつれて配線高さが低くなっている。
【００２８】
このため、ループ状の複数の金属配線５の下に存在する気泡は、脱気構造の右側および左側の少なくとも一方から中央部に向けて移動し、中央部の隙間において金属配線５の下から抜け出し、金属配線５下の気泡を脱気することができる。
【００２９】
なお、中央部の隙間は、気泡の直径が１ｍｍ〜３ｍｍであることを考慮して、１ｍｍ〜３ｍｍの範囲に設定する。
【００３０】
また、配線配列の中央部において配置間隔を他の部分よりも広くできる場合、図９に示される脱気構造とは反対に、図１０に示されるように、複数の金属配線５のそれぞれの配線高さが、配線配列の中央部側で最も低く、中央部から図に向かって左方向（第１の方向）および右方向（第２の方向）に向かうにつれて配線高さが高くなる脱気構造としても良い。
【００３１】
これにより、ループ状の複数の金属配線５の下に存在する気泡は、脱気構造の右側および左側の少なくとも一方に向けて移動し、金属配線５の下から抜け出し、金属配線５下の気泡を脱気することができる。なお、ワイヤ配列の中央部の隙間が広いので、ワイヤ配列の中央部に近い金属配線５の下に存在する気泡は、中央部から抜ける場合もあり、脱気の効果が高まる。
【００３２】
＜脱気構造の第４の例＞
図１１および図１２は、配線間隔が狭い場合に、金属配線５下の気泡を上方に移動させる脱気構造を有するワイヤ配置を説明する図であり、図１１は、パワーモジュール１００を上方から見た部分平面図であり、図１２は、図１１におけるＣ−Ｃ線での矢視断面図である。なお、金属配線５の配置位置は図３と同じである。
【００３３】
図１１に示される脱気構造では、ワイヤ配列の中央部では配置間隔が他の部分よりも広くなっていると共に、中央部を境にして左方向（第１の方向）および右方向（第２の方向）にそれぞれ斜めに傾くように金属配線５が配置されている。このため、図１２に示されるように、複数の金属配線５のそれぞれの配線高さは、中央部から図に向かって左方向および右方向に向かうにつれて配線高さが低くなると共に、中央部は手前側（ダイオード１０４ｂ側）よりも奥側（上側導体パターン１０３ｂ）側が広くなっている。
【００３４】
このため、ループ状の複数の金属配線５の下に存在する気泡は、脱気構造の中央部から抜け出しやすくなる。
【００３５】
＜脱気構造の第５の例＞
図１３は、配線間隔が狭い場合に、金属配線５下の気泡を上方に移動させる脱気構造を有するワイヤ配置を説明する図であり、図１３は、パワーモジュール１００を上方から見た部分平面図である。
【００３６】
図１３に示される脱気構造では、隣り合う金属配線５のボンディング位置が、互い違いとなるようにずらして段違いでボンディングされている。段違いのボンディングを行うことで、配線間隔をさらに狭めた場合でも、ボンディング機材の挿入スペースが確保できるのでボンディングしやすくなる。
【００３７】
このような段違いのボンディングを行う場合でも、例えば、図４に示されるように、複数の金属配線５のそれぞれの配線高さが、配列の一方向に向けて徐々に高くなる、または徐々に低くなるように配設することで、ループ状の複数の金属配線５の下に存在する気泡は、配線高さの高い金属配線５側に向けて移動し、脱気される。
【００３８】
また、上記のように、段違いのボンディングを行う場合に、複数の金属配線５のそれぞれの配線高さを変える場合、配線長さが変わることでインダクタンス（電気抵抗）が変わることとなる。そこで、配線長さを合わせることで、インダクタンスを統一でき、パワーモジュール１００の回路設計を簡易にできる。
【００３９】
図１４は、段違いのボンディングを行う場合に、配線長さを合わせた場合の脱気構造を示す平面図であり、図１５は、図４に対応する断面図である。
【００４０】
図１４および１５に示されるように、配線高さが最も低い金属配線５の平面視での配線長さが最も長く、配線高さが最も高い金属配線５の平面視での配線長さが最も短くなるように、複数の金属配線５のそれぞれの平面視での長さを設定している。この結果、各金属配線５の全長（実際の配線長さ）は同一となり、インダクタンスを統一できる。
【００４１】
このように、配線高さに合わせて平面視での配線長さを変えることは、先に説明した脱気構造の第第１の例〜第４の例において適用しても良く、インダクタンスを統一することで、パワーモジュール１００の回路設計を簡易にできる。
【００４２】
＜脱気構造の第６の例＞
図１６および図１７は、配線間隔が狭い場合に、金属配線５下の気泡を上方に移動させる脱気構造を有するワイヤ配置を説明する図であり、図１６は、パワーモジュール１００を上方から見た部分平面図であり、図１７は、図１６におけるＣ−Ｃ線での矢視断面図である。なお、金属配線５の配置位置は図３と同じである。なお、図１６および図１７では、上側の金属配線５を太く示しているが、これは便宜的なものであり、実際には上下の金属配線５は同じ太さである。
【００４３】
図１６および図１７は、金属配線５がルーピングの方向に上下で重なって配置される２重配線の場合の脱気構造を示しており、このような２重配線を行う場合でも、図１７に示されるように、複数の金属配線５のそれぞれの配線高さが、配列の一方向に向けて徐々に高くなる、または徐々に低くなるように配設することで、ループ状の複数の金属配線５の下に存在する気泡は、配線高さの高い金属配線５側に向けて移動し、脱気される。なお、上述した２重配線に限定されず、３重配線などさらに重なった配線に対しても脱気構造は適用可能である。
【００４４】
＜脱気構造の他の部分への適用例＞
以上説明した脱気構造の第１〜第６の例では、ダイオード１０４ｂと上側導体パターン１０３ｂとの結線部について説明したが、脱気構造は他の結線部に適用しても良い。
【００４５】
図１８および図１９は、絶縁基板３上の上側導体パターン１０３ｂと、他の上側導体パターン１０３ｃとの結線部に、例えば脱気構造の第１の例を適用した場合を示しており、図１８は、パワーモジュール１００を上方から見た部分平面図であり、図１９は、図１８におけるＣ−Ｃ線での矢視断面図であり、複数の金属配線５のそれぞれの配線高さが、配列の一方向に向けて徐々に高くなる、または徐々に低くなるように配設されている。なお、上側導体パターン１０３ｃは、図２に示す平面図では図示されていない部分にあるものとする。
【００４６】
図１８および図１９に示されるように、絶縁基板３上の導体パターンどうしを結線する際にも脱気構造を適用することで、ループ状の複数の金属配線５の下に存在する気泡は、配線高さの高い金属配線５側に向けて移動し、脱気される。
【００４７】
図２０および図２１は、絶縁基板３上の上側導体パターン１０３ｂと主電極端子２との結線部に、例えば脱気構造の第１の例を適用した場合を示しており、図２０は、パワーモジュール１００を上方から見た部分平面図であり、図２１は、図２０におけるＣ−Ｃ線での矢視断面図であり、複数の金属配線５のそれぞれの配線高さが、配列の一方向に向けて徐々に高くなる、または徐々に低くなるように配設されている。
【００４８】
図２０および図２１に示されるように、絶縁基板３上の上側導体パターン１０３ｂと主電極端子２を結線する際にも脱気構造を適用することで、ループ状の複数の金属配線５の下に存在する気泡は、配線高さの高い金属配線５側に向けて移動し、脱気される。
【００４９】
＜脱気のための他の構造＞
以上説明した実施の形態１では、例えば、金属配線５の配置間隔が１ｍｍ以下であり、絶縁封止材４内の気泡の直径が１ｍｍ〜３ｍｍであった場合、金属配線５間から気泡が抜けることができないものとして説明したが、金属配線５間隔を気泡の直径より大きくすることで脱気構造が得られる。
【００５０】
ただし、金属配線５の線幅が１ｍｍ程度である場合、配線間隔を３ｍｍ程度にすると、パワーモジュールの定格の多様化、大電流化に伴う、配線密度の増加に対応できなくなる。そこで、金属配線５の線幅を太くするか、板状のリボンボンドを用いることで、配線１本当たりの溶断電流を上げて、配線間隔を１ｍｍ以上とする。
【００５１】
＜実施の形態２＞
本実施の形態は、上述した実施の形態１に係るパワーモジュールを電力変換装置に適用したものである。以下、実施の形態２として、三相のインバータに実施の形態１を適用した場合について説明する。
【００５２】
図２２は、本実施の形態に係る電力変換装置を適用した電力変換システムの構成を示すブロック図である。
【００５３】
図２２に示す電力変換システムは、電源５００、電力変換装置６００、負荷７００で構成される。電源５００は、直流電源であり、電力変換装置６００に直流電力を供給する。電源５００は種々のもので構成することが可能であり、例えば、直流系統、太陽電池、蓄電池で構成することができ、また、交流系統に接続された整流回路またはＡＣ／ＤＣコンバータで構成しても良い。また、電源５００を、直流系統から出力される直流電力を所定の電力に変換するＤＣ／ＤＣコンバータによって構成しても良い。
【００５４】
電力変換装置６００は、電源５００と負荷７００の間に接続された三相のインバータであり、電源５００から供給された直流電力を交流電力に変換し、負荷７００に交流電力を供給する。電力変換装置６００は、図２２に示すように、直流電力を交流電力に変換して出力する主変換回路６０１と、主変換回路６０１を制御する制御信号を主変換回路６０１に出力する制御回路６０２とを備えている。
【００５５】
負荷７００は、電力変換装置６００から供給された交流電力によって駆動される三相の電動機である。なお、負荷７００は特定の用途に限られるものではなく、各種電気機器に搭載された電動機であり、例えば、ハイブリッド自動車、電気自動車、鉄道車両、エレベーター、もしくは、空調機器向けの電動機として用いられる。
【００５６】
以下、電力変換装置６００の詳細を説明する。主変換回路６０１は、スイッチング素子と還流ダイオードを備えており（図示せず）、スイッチング素子がスイッチングすることによって、電源５００から供給される直流電力を交流電力に変換し、負荷７００に供給する。主変換回路６０１の具体的な回路構成は種々のものがあるが、本実施の形態に係る主変換回路６０１は２レベルの三相フルブリッジ回路であり、６つのスイッチング素子とそれぞれのスイッチング素子に逆並列された６つの還流ダイオードで構成することができる。主変換回路６０１が含まれるパワーモジュールには、上述した実施の形態１のパワーモジュール１００を適用し、パワーモジュール１００内の複数の金属配線５は脱気構造を採用して配設する。６つのスイッチング素子は２つのスイッチング素子ごとに直列接続され上下アームを構成し、各上下アームはフルブリッジ回路の各相（Ｕ相、Ｖ相、Ｗ相）を構成する。そして、各上下アームの出力端子、すなわち主変換回路６０１の３つの出力端子は、負荷７００に接続される。
【００５７】
また、主変換回路６０１は、各スイッチング素子を駆動する駆動回路（図示せず）を備えているが、駆動回路は実施の形態１で説明したようにパワーモジュール１００内に内蔵されていても良いし、パワーモジュール１００とは別に駆動回路を備える構成であっても良い。
【００５８】
駆動回路は、主変換回路６０１のスイッチング素子を駆動する駆動信号を生成し、主変換回路６０１のスイッチング素子の制御電極に供給する。具体的には、後述する制御回路６０２からの制御信号に従い、スイッチング素子をオン状態にする駆動信号とスイッチング素子をオフ状態にする駆動信号とを各スイッチング素子の制御電極に出力する。スイッチング素子をオン状態に維持する場合、駆動信号はスイッチング素子の閾値電圧以上の電圧信号（オン信号）であり、スイッチング素子をオフ状態に維持する場合、駆動信号はスイッチング素子の閾値電圧以下の電圧信号（オフ信号）となる。
【００５９】
制御回路６０２は、負荷７００に所望の電力が供給されるよう主変換回路６０１のスイッチング素子を制御する。具体的には、負荷７００に供給すべき電力に基づいて主変換回路６０１の各スイッチング素子がオン状態となるべき時間（オン時間）を算出する。例えば、出力すべき電圧に応じてスイッチング素子のオン時間を変調するＰＷＭ制御によって主変換回路６０１を制御することができる。そして、各時点においてオン状態となるべきスイッチング素子にはオン信号を、オフ状態となるべきスイッチング素子にはオフ信号が出力されるよう、主変換回路６０１が備える駆動回路に制御指令（制御信号）を出力する。駆動回路は、この制御信号に従い、各スイッチング素子の制御電極にオン信号またはオフ信号を駆動信号として出力する。
【００６０】
主変換回路６０１を実施の形態１のパワーモジュール１００で構成することで、硬化した絶縁封止材において、金属配線５下に気泡がボイドとして残ることを抑制でき、絶縁性を確保したパワーモジュール、ひいてはパワーモジュールを含む電力変換装置の不具合を事前に回避し、これらの機能が損なわれることを抑制できる。
【００６１】
本実施の形態では、２レベルの三相インバータに本発明を適用する例を説明したが、本発明は、これに限られるものではなく、種々の電力変換装置に適用することができる。本実施の形態では、２レベルの電力変換装置としたが３レベルやマルチレベルの電力変換装置であっても構わないし、単相負荷に電力を供給する場合には単相のインバータに本発明を適用しても構わない。また、直流負荷等に電力を供給する場合にはＤＣ／ＤＣコンバータやＡＣ／ＤＣコンバータに本発明を適用することも可能である。
【００６２】
また、本実施の形態の電力変換装置は、上述した負荷が電動機の場合に限定されるものではなく、例えば、放電加工機やレーザー加工機、または誘導加熱調理器や非接触器給電システムの電源装置として用いることもでき、さらには太陽光発電システムや蓄電システム等のパワーコンディショナーとして用いることも可能である。
【００６３】
なお、本発明は、その発明の範囲内において、実施の形態を適宜、変形、省略することが可能である。
【符号の説明】
【００６４】
１  ケース、２  主電極端子、３  絶縁基板、４  絶縁封止材、５  金属配線、１０４  半導体素子。
【図１】
2020004784.tif 000003
【図２】
2020004784.tif 000004
【図３】
2020004784.tif 000005
【図４】
2020004784.tif 000006
【図５】
2020004784.tif 000007
【図６】
2020004784.tif 000008
【図７】
2020004784.tif 000009
【図８】
2020004784.tif 000010
【図９】
2020004784.tif 000011
【図１０】
2020004784.tif 000012
【図１１】
2020004784.tif 000013
【図１２】
2020004784.tif 000014
【図１３】
2020004784.tif 000015
【図１４】
2020004784.tif 000016
【図１５】
2020004784.tif 000017
【図１６】
2020004784.tif 000018
【図１７】
2020004784.tif 000019
【図１８】
2020004784.tif 000020
【図１９】
2020004784.tif 000021
【図２０】
2020004784.tif 000022
【図２１】
2020004784.tif 000023
【図２２】
2020004784.tif 000024